(57)【要約】【課題】灯袋部に電球等の照明灯を設けた石材製の灯ろうで、景観を損なうことなく構造が簡単でコストが安く、更に地震時の転倒等を防止する。【解決手段】  石材製の笠部５、灯袋部４、脚部１等からなる石灯ろうにおいて、灯袋部４内に、電力によって消点灯する照明灯２を配置し、更に脚部１の下部には、脚部１を取り囲み、石灯ろう全体を支持固定するためのコンクリート製の基礎部３が地中に設けられおり、脚部１の内部に、上下方向に貫通する挿通孔１０を設け、この挿通孔１０内に、照明灯２に電力を供給するハーネス２２を配した。【選択図】図１
0003111292.tif 000002
【実用新案登録請求の範囲】
【請求項１】
石材製の笠部（５）、灯袋部（４）、脚部（１）等からなる石灯ろうにおいて、前記灯袋部（４）内に、電力によって消点灯する照明灯（２）を配置し、更に前記脚部（１）の下部には、前記脚部（１）を取り囲み、石灯ろう全体を支持固定するためのコンクリート製の基礎部（３）が地中に設けられおり、前記脚部（１）の内部に、上下方向に貫通する挿通孔（１０）を設け、この挿通孔（１０）内に、前記照明灯（２）に電力を供給するハーネス（２２）を配したことを特徴とする石灯ろう。
【請求項２】
前記笠部、灯袋部、脚部等を構成する石材が、天然石からなることを特徴とする請求項１に記載の石灯ろう。
【請求項３】
前記基礎部（３）が、基礎コンクリート（３０）と、この基礎コンクリート（３０）の上面に設けられた支持用角パイプ（３６）とを備えており、前記脚部（１）を前記支持用角パイプ（３６）に嵌め込んで支持し、前記支持用角パイプ（３６）を根巻コンクリート（３８）で取り巻いてなることを特徴とする請求項１又は２に記載の石灯ろう。
【請求項４】
前記灯袋部（４）及び前記笠部（５）が、アンカーボルト（５０）で連結されていることを特徴とする請求項１〜３のいずれかに記載の石灯ろう。
【請求項５】
請求項１〜４のいずれか１項に記載の石灯ろうを多数立設し、これら各石灯ろうのハーネス（２２）を、照度センサー（６７）を有する点灯制御開閉器（６５）に接続し、この照度センサーからの信号で前記点灯制御開閉器（６５）を操作することによって、前記各石灯ろうの照明灯（２）を集中して自動消点灯するようにしたことを特徴とする石灯ろう。
【考案の詳細な説明】
【技術分野】
【０００１】
本考案は、石材製の灯ろうに関するものである。
【背景技術】
【０００２】
従来より、神社仏閣（例えば伊勢神宮等）の参道等には、多数の石材製の灯ろうが立設されている。この石灯ろうは、石材製の笠部、灯袋部、脚部等からなっている。そして、灯袋部には蝋燭が配置されている。従って、蝋燭を消点灯したり、定期的に交換する必要があり、非常に手間がかかっていた。
【０００３】
更に、従来の石灯ろうには、基礎が設けられていないので、地震等の際に転倒する危険性もあった。又、電球等を灯袋部内に配置した灯ろうはあるが、石材製の灯ろうでなかったり、石材製の灯ろうであっても、照明灯に電力を供給するハーネスが脚部の背面側等に配されており景観を著しく損なっていた。笠部に太陽電池等を設けた石灯ろうもあるが、構造が複雑でコストが高く、又景観も損なう。
【考案の開示】
【考案が解決しようとする課題】
【０００４】
そこで、本考案が解決しようとする課題は、灯袋部に電球等の照明灯を設けた石材製の灯ろうで、景観を損なうことなく構造が簡単でコストが安く、更に地震時の転倒等を防止することができる新規な石灯ろうを提供することである。
【課題を解決するための手段】
【０００５】
前記した課題を解決するために、本考案に係る石灯ろうは、石材製の笠部、灯袋部、脚部等からなり、灯袋部内に、電力によって消点灯する照明灯を配置し、更に脚部の下部には、脚部を取り囲む灯ろう全体を支持固定するためのコンクリート製の基礎部が地中に設けられており、脚部の内部を通じて上下方向に貫通する挿通孔を設け、照明灯に電力を供給するハーネスを、地中から挿通孔を通じて照明灯に接続した。
【０００６】
好ましくは、前記笠部、灯袋部、脚部等を構成する石材が天然石からなる。そして、前記基礎部が、基礎コンクリートと、この基礎コンクリートの上面に設けられた支持用角パイプとを備えており、支持用角パイプに脚部を嵌め込んで支持し、支持用角パイプを根巻コンクリートで取り巻いて構成しても良い。又、前記灯袋部及び前記笠部がアンカーボルトで連結されていても良い。
【０００７】
更に好ましくは、前記した石灯ろうを多数立設し、これら各石灯ろうのハーネスを、照度センサーを有する点灯制御開閉器に接続し、この照度センサーからの信号で点灯制御開閉器を操作することによって、所定の石灯ろうの照明灯を集中して自動消点灯するように構成する。
【考案の効果】
【０００８】
本考案に係る石灯ろうは、前記したように構成されているので、照明灯に電力を供給するハーネスを、脚部の内部に設けた挿通孔に通じることにより、特に神社仏閣等において重要視される景観を損なうことなく、更に簡単な構造でコストも安いメリットもある。そして、石灯ろう全体を支持する基礎部を設けることによって、地震の際における転倒を防止することができる。
【考案を実施するための最良の形態】
【０００９】
以下、添付図面に基づいて、本考案に係る石灯ろうについて詳細に説明する。
【００１０】
図１は、本考案に係る石灯ろう示す正面図である。図２は、石灯ろうの上部を示し、（ａ）は正面断面図、（ｂ）はＩ−Ｉ線断面図である。図３は、基礎部を示す正面図である。図４は、多数の石灯ろうを立設した状態を示す側面図である。
【００１１】
図１の如く、本考案に係る石灯ろうは、脚部１、受台部６、灯袋部４及び笠部５を備えている。この脚部１、受台部６、灯袋部４及び笠部５は全て天然石で製造されており、この天然石は、例えば庵治石、大島石、椿石、北木石等である。脚部１、受台部６及び灯袋部４は、中心部に、挿通孔１０が設けられている。この挿通孔１０は、ドリル等で形成されたものであって、灯袋部４の下壁４１から受台部６を通じ、更に脚部１の全長にわたって上下方向に貫通して設けられている。そして、灯袋部４の収納部４０に、電球や蛍光灯等の照明灯２が収納されている。又、脚部１の下部には、灯ろう全体を支持固定する基礎部３が、地中に設けられている。
【００１２】
図２の如く、挿通孔１０内には、金属製の中空パイプ２１が挿入、配置されている。そして、この中空パイプ２１の上端は、ソケット２０を螺合して取り付けることができるよう螺刻されている。ソケット２０は、灯袋部４の収納部４０内に設置され、照明灯２を支持する。中空パイプ２１内には、照明灯２に電力を供給するためのハーネス２２が配置されている。ハーネス２２は、ソケット２０を介して照明灯２に接続されている。
【００１３】
更に、灯袋部４の上壁４１と笠部５とは、２本のアンカーボルト５０によって連結されている。このアンカーボルト５０が、灯袋部４と笠部５とを一体化し、地震の際に、笠部５が落下することを防止する。
【００１４】
図３に示すように、脚部１の下部に設けられた基礎部３は、次のように施工され、構成されている。先ず、掘削面に、基礎砕石３１を敷設し、その上に均しコンクリート３２を打設する。そして、均しコンクリート３２の上に、内部に補強鉄筋３３が配された基礎コンクリート３０を打設する。そして、アンカーボルト３４が、基礎コンクリート３０の上面より突出して設けられている。
【００１５】
このアンカーボルト３４の突出部分に、ナット等を用いてベースプレート３５を連結する。そして、鉄骨柱からなる支持用角パイプ３６が、ベースプレート３５の上面に、溶接で接合されている。この支持用角パイプ３６に脚部１を嵌め込んで、脚部１を立設した状態で支持できるよう構成されている。支持用角パイプ３６は、複数のリブ３７によって補強されている。
【００１６】
そして、角パイプ３６に脚部１を嵌め込んで、脚部１を立設させた状態で、脚部１及び角パイプ３６を取り囲むように根巻コンクリート３８を打設し、基礎部３及び脚部１を一体化する。前記した挿通孔１０は、脚部１からベースプレート３５を通じて、基礎コンクリート３０、均しコンクリート３２及び基礎砕石３１を貫通するように設けられている。そして、中空パイプ１０も基礎砕石３１の下方までのび、ハーネス２２が基礎砕石３１下の地中に配されている。これにより、ハーネス２２が、地中及び石灯ろうの内部に配されるので、景観を損なうことがない。
【００１７】
図４は、多数の石灯ろうの配線を説明するための図である。図４の如く、参道等に立設された多数の石灯ろうは、所定数の石灯ろう（本例では、１６〜２６灯）毎に、複数の石灯ろう群７，７，７・・・が構成されている。そして、引込柱６２には、電気量を計測するためのメートル器６３と、過電流によって線路を遮断するための過電流開閉器６４と、照度センサー６７を有する点灯制御開閉器６５とが備えられている。地中には、電線分岐用のコンクリート桝からなるハンドホール７０が埋設されている。そして、このハンドホール７０内には、漏電によって線路を遮断するための漏電開閉器７１と、二つの過電流開閉器７２，７２とが設けられている。
【００１８】
電力柱６１に接続され電力を供給するためのケーブル６６は、引込柱６２を介して、メートル器６３、過電流開閉器６４及び点灯制御開閉器６５を通じて、ハンドホール７０内の漏電開閉器７１に接続されている。そして、二つの石灯ろう群７，７からのハーネス２２，２２が、各過電流開閉器７２，７２を介して、漏電開閉器７１に接続されている。更に、地中に設けられたケーブル７５は、複数のハンドホール７０，７０，・・・内の漏電開閉器７１に接続されている。
【００１９】
以上のように構成することにより、電力柱６１からの電力が、ケーブル６６を通じて、メートル器６３、過電流開閉器６４及び点灯制御開閉器６５を経て、ハンドホール７０内の漏電開閉器７１及び過電流開閉器７２，７２を通じ、ハーネス２２，２２から各石灯ろう群７，７の照明灯２，２，２・・・へ供給される。又、この電力は、地中のケーブル７５を通じて、各ハンドホール７０，７０・・・へ分配され、その後、前記と同様に、別の石灯ろう群７，７，７・・・の照明灯２，２，２・・・へ供給されることになる。
【００２０】
そして、引込柱６２に設けられた照度センサー６７で屋外の明るさを感知し、この感知信号によって点灯制御開閉器６５を操作して、照明灯２へ供給する電力の入出力を制御する。これにより、参道に配された多数の石灯ろうを、昼間は照明灯２が消灯し、夜間は照明灯２が点灯するように集中して制御することができる。
【図面の簡単な説明】
【００２１】
【図１】本考案に係る石灯ろう示す正面図である。
【図２】石灯ろうの上部を示し、（ａ）は正面断面図、（ｂ）はＩ−Ｉ線断面図である。
【図３】基礎部を示す正面図である。
【図４】多数の石灯ろうの配線を説明するための図である。
【符号の説明】
【００２２】
１．脚部
２．照明灯
３．基礎部
４．灯袋部
５．笠部
１０．挿通孔
２２．ハーネス
３０．基礎コンクリート
３６．支持用角パイプ
３８．根巻コンクリート
５０．アンカーボルト
６５．点灯制御開閉器
６７．照度センサー
【図１】
0003111292.tif 000003
【図２】
0003111292.tif 000004
【図３】
0003111292.tif 000005
【図４】
0003111292.tif 000006